(57)【要約】【課題】既存の観葉植物などの鉢植えでは、株元等の部分が空きすぎてバランス的に物足りないケースがあるが、この空き部分に新たな根付きの草木を植え付けるほどのスペースがなかったり、表土全体に根が張っていて植え付けられない。【解決手段】上端が開口した容器で、その下部が細長先鋭状に形成されている草木挿し容器。【選択図】        図１
2004147624.tif 000002
【特許請求の範囲】
【請求項１】
上端が開口した容器で、その下部が細長先鋭状に形成されていることを特徴とする草木挿し容器。
【請求項２】
上部の椀状部の底面に排水孔が設けられ、下部は上部の椀状部の底面からその下方に細長先鋭状に突設されていることを特徴とする草木挿し容器。
【請求項３】
上部の椀状部と下部の細長先鋭状の支柱部とを別体に成形し、これらを着脱自在に連結したことを特徴とする草木挿し容器。
【発明の詳細な説明】
【０００１】
【発明が属する技術分野】
この発明は、鉢土や庭土に挿し込んで支持し、その内部に茎部で切り取った草木や根付きの草木を入れて鉢や庭へ寄せ植え等を構成するための草木挿し容器に関するものである。
【０００２】
【従来の技術】
従来、観葉植物などの鉢植えは、１種類の植物のみが植えられているものが多い。
【０００３】
また近年、ガーデニングブームの折から寄せ植えが盛んに行われているが、この寄せ植えには各種の草木の苗を鉢土や庭土に植え付けるようにしている。
【０００４】
【発明が解決しようとする課題】
１種類の観葉植物などの鉢植えでは、株元等の部分が空きすぎてバランス的に物足りないケースがあるが、この空き部分に新たな根付きの草木を植え付けるほどのスペースがなかったり、表土全体に根が張っていて植え付けられない場合が少なくない。
【０００５】
また、従来の寄せ植えには、根付きの草木を土に植え付けるようにしているため、根付きの草木以外に切り花などの茎部で切り取った草木を寄せ植え中に配置することができず、また造花などを挿して支持する粘土状の多孔質植え込み材など土以外の媒体に寄せ植えすることができなかった。
【０００６】
また、寄せ植えの根付きの草木の高さを調節するには、植え付ける土の盛り上げ高さを調節するしか方法がないが、鉢の植え付けスペースが限られていることから土の盛り上げ高さを加減するには一定の限界があった。
【０００７】
【課題を解決するための手段】
この発明は、上端が開口した容器の下部を細長先鋭状に形成し、容器内に切り花のように茎部で切り取った草木や根付きの草木を挿し入れるか植え付け、この容器下部の細長先鋭状部を鉢土や庭土などに挿し込むようにしたことを最も主要な特徴とする。
【０００８】
【発明の実施の形態】
上端が開口した容器で、その下部は細長先鋭状に形成されているか、上部の椀状部の底面に排水孔が設けられ、下部は上部の椀状部の底面からその下方に細長先鋭状に突設されている草木挿し容器。
【０００９】
また、上部の碗状部と下部の細長先鋭状の支柱部とを別体に成形してこれらを着脱自在に挿し込みあるいはねじ込み連結して使用するようにした草木挿し容器。
【００１０】
【実施例】
図１および図２に示す第一実施例は、内部に水を入れて主として切り花などの茎部で切り取った草木を挿し入れる草木挿し容器１を示したもので、横断面円形、四角形、楕円形等の各種の形態に形成された上部が開口した容器で、その下部は細長先鋭状に形成されている。
【００１１】
図３および図４に示す第二実施例は、上部の筒状容器部１ａと下部の先鋭状支柱部１ｂとを別体に成形してこれらを着脱自在に嵌着あるいはねじ込みにより連結して使用するようにした草木挿し容器１を示したもので、上部の椀状部１ａの底面下方に凹部１ｃを設け、これに細長先鋭状の支柱部１ｂを着脱自在に嵌挿するように構成したものである。
【００１２】
この場合、支柱部１ｂは長さが長短異なるものを複数個成形しておき、これを適宜交換することによって草木挿し容器１の全体的長さを長短変化させることができる。
【００１３】
なお、支柱部１ｂの上端部を中空としてこれに椀状部１ａの底面下方に突出する凸部を嵌合するようにしてもよい。
【００１４】
図５および図６に示す第三実施例は、内部に園芸用土を入れて主として根付きの草木を植え込むように上部が植木鉢ような大きな椀状に形成された草木挿し容器１を示したもので、上部の椀状部１ａの底面に排水孔２が設けられ、上記第二実施例と同様に上部の椀状部１ａの底面下方に凹部１ｃあるいは凸部を設け、これに細長先鋭状の支柱部１ｂを嵌着またはねじ込みにより着脱自在に連結するように構成されている。
【００１５】
なお、支柱部１ｂは椀状部１ａと一体に成形してもよい。
【００１６】
上記第一〜第三実施例の草木挿し容器１を使用する際には、容器内に水あるいは園芸用土を入れ、茎部で切り取った草木や根付きの草木を挿し入れるか植え付け、図７に示すように容器下部の先鋭状部や支柱部１ｂを鉢土や庭土に挿し込んで適宜な高さに調節して自立させる。
【００１７】
従って、１種類の観葉植物などの鉢植えで根付きの草木を植え付けるほどのスペースがなかったり、表土全体に根が張っていて植え付けられない場合においても、茎部で切り取った草木や根付きの草木を入れた草木挿し容器１を鉢土の小さなスペースに挿し込んで、恰も既存の観葉植物と混植したように見せるかけることができ、また寄せ植えなどにおいては根付きの草木のみならず切り花なども草木挿し容器１に入れて挿し込むことができ、その挿し込み高さや傾きを自由に調節して草木の配置構成を任意に変化させることができる。
【００１８】
さらに、草木挿し容器１は粘土状の多孔質植え込み材など土以外の媒体や、庭土にも挿すことができるので、このような媒体や庭においても寄せ植えを行うことが可能となる。
【００１９】
【発明の効果】
以上の通りこの発明によれば、１種類の観葉植物などの鉢植えで根付きの草木を植え付けるほどのスペースがなかったり、表土全体に根が張っていて植え付けられない場合においても、茎部で切り取った草木や根付きの草木を入れた草木挿し容器を鉢土の小さなスペースに挿し込んで、恰も既存の観葉植物と混植したように見せるかけることができ、また寄せ植えなどにおいては根付きの草木のみならず切り花なども草木挿し容器に入れて挿し込むことができ、その挿し込み高さや傾きを自由に調節して草木の配置構成を任意に変化させることができる。
【００２０】
さらに、草木挿し容器は粘土状の多孔質植え込み材など土以外の媒体や、庭土にも挿すことができるので、このような媒体や庭においても寄せ植えを行うことが可能となる。
【図面の簡単な説明】
【図１】この発明の第一実施例の一態様を示す斜視図である。
【図２】この発明の第一実施例の他の態様を示す斜視図である。
【図３】この発明の第二実施例の一態様を示す斜視図である。
【図４】この発明の第二実施例の縦断正面図である。
【図５】この発明の第三実施例の一態様を示す斜視図である。
【図６】この発明の第三実施例の縦断正面図である。
【図７】この発明の使用態様の一例を示す縦断正面図である。
１    草木挿し容器
１ａ  椀状部
１ｂ  支柱部
１ｃ  凹部
２    排水孔
【図１】
2004147624.tif 000003
【図２】
2004147624.tif 000004
【図３】
2004147624.tif 000005
【図４】
2004147624.tif 000006
【図５】
2004147624.tif 000007
【図６】
2004147624.tif 000008
【図７】
2004147624.tif 000009